(57)【要約】【課題】  殺虫剤を噴霧する必要もなく、周囲を汚すこともなく、使用者の手を汚すこともない、新規な虫取り器を提供することである。【解決手段】  開口付きの隔壁によって第１室と第２室に分けられた筒状の本体と、第１室内に収容され、隔壁と反対側の方へ開放した虫取り袋と、第２室内に収容されたシリンダと、第１室の隔壁と反対側の端部に設けられた開口に通じるように本体に取り付けられた虫吸入管と、シリンダを隔壁の側と反対側に押し付けるためのばねと、ばねのばね力に抗してシリンダを隔壁の側に押し付けた状態を保持するための係止手段とを備え、係止手段の係止を解除し、シリンダを隔壁と反対側に移動させて、虫吸入管内に空気とともに虫を吸引し、虫を虫取り袋に捕集するように構成されていることを特徴とする虫取り器。【選択図】  図１
2010124805.tif 000002
【特許請求の範囲】
【請求項１】
開口付きの隔壁によって第１室と第２室に分けられた筒状の本体と、
前記第１室内に収容され、前記隔壁と反対側の方へ開放した虫取り袋と、
前記第２室内に収容されたシリンダと、
前記第１室の前記隔壁と反対側の端部に設けられた開口に通じるように前記本体に取り付けられた虫吸入管と、
前記シリンダを前記隔壁の側と反対側に押し付けるためのばねと、
前記ばねのばね力に抗して前記シリンダを前記隔壁の側に押し付けた状態を保持するための係止手段とを備え、
前記係止手段の係止を解除し、前記シリンダを前記隔壁と反対側に移動させて、虫吸入管内に空気とともに虫を吸引し、前記虫を前記虫取り袋に捕集するように構成されていることを特徴とする虫取り器。
【請求項２】
開口付きの隔壁によって第１室と第２室に分けられた筒状の本体と、
前記第１室内に収容され、前記隔壁と反対側の方へ開放した虫取り袋と、
前記第２室内に収容され、前記本体内に空気を吸引するためのプロペラ手段と、
前記第１室の前記隔壁と反対側の端部に設けられた開口に通じるように前記本体に取り付けられた虫吸入管とを備え、
前記プロペラ手段を作動させて、前記本体内に空気を吸引することにより、虫吸入管内に空気とともに虫を吸引し、前記虫を前記虫取り袋に捕集するように構成されていることを特徴とする虫取り器。
【発明の詳細な説明】
【技術分野】
【０００１】
本発明は、手を汚さずに使用できる虫取り器に関する。
【背景技術】
【０００２】
虫を取る手段として、殺虫剤の噴霧や、例えば蠅叩き具のような種々の手段が知られている。また、特別な道具を用いずに、丸めた新聞紙で虫を叩くこと等も日常的に行われている。
【発明の開示】
【発明が解決しようとする課題】
【０００３】
しかしながら、殺虫剤の噴霧は、乳幼児やペット等に害を及ぼすおそれがあるため、無制限には使いにくい。また、蠅叩き具のような道具で虫を叩くと、家具や絨毯などが汚れるという不都合がある。
【０００４】
本発明は、このような現状に鑑みて開発されたものであって、殺虫剤を噴霧する必要もなく、周囲を汚すこともなく、使用者の手を汚すこともない、新規な虫取り器を提供することを目的としている。
【課題を解決するための手段】
【０００５】
本願請求項１に記載の虫取り器は、開口付きの隔壁によって第１室と第２室に分けられた筒状の本体と、前記第１室内に収容され、前記隔壁と反対側の方へ開放した虫取り袋と、前記第２室内に収容されたシリンダと、前記第１室の前記隔壁と反対側の端部に設けられた開口に通じるように前記本体に取り付けられた虫吸入管と、前記シリンダを前記隔壁の側と反対側に押し付けるためのばねと、前記ばねのばね力に抗して前記シリンダを前記隔壁の側に押し付けた状態を保持するための係止手段とを備え、前記係止手段の係止を解除し、前記シリンダを前記隔壁と反対側に移動させて、虫吸入管内に空気とともに虫を吸引し、前記虫を前記虫取り袋に捕集するように構成されていることを特徴とするものである。
【０００６】
本願請求項２に記載の虫取り器は、開口付きの隔壁によって第１室と第２室に分けられた筒状の本体と、前記第１室内に収容され、前記隔壁と反対側の方へ開放した虫取り袋と、前記第２室内に収容され、前記本体内に空気を吸引するためのプロペラ手段と、前記第１室の前記隔壁と反対側の端部に設けられた開口に通じるように前記本体に取り付けられた虫吸入管とを備え、前記プロペラ手段を作動させて、前記本体内に空気を吸引することにより、虫吸入管内に空気とともに虫を吸引し、前記虫を前記虫取り袋に捕集するように構成されていることを特徴とするものである。
【発明の効果】
【０００７】
本発明の虫取り器により、殺虫剤を噴霧する必要もなく、周囲を汚すこともなく、使用者の手を汚すこともなく、虫を取ることができる。本発明の虫取り器は、比較的簡単な構造であるため、製造コストを廉価に抑えることができ、故障しても容易に修理することができる。
【発明を実施するための最良の形態】
【０００８】
次に図面を参照して、本発明の好ましい実施の形態に係る虫取り器について詳細に説明する。図１は、本発明の好ましい実施の形態に係る虫取り器を示した断面図である。図１において全体として参照符号１０で示される本発明の好ましい実施の形態に係る虫取り器は、筒状の本体１２を有している。
【０００９】
本体１２は、開口１２ｃ１付きの隔壁１２ｃによって第１室１２ａと第２室１２ｂに分けられている。第１室１２ａの隔壁１２ｃが設けられている側と反対側の端部には、開口１２ｄが設けられており（図３参照）、開口１２ｄには、第１室１２ａの内部の方にのみ開口する逆止弁１２ｄ１が設けられている。逆止弁１２ｄ１は、例えば合成樹脂製の板材の一端を開口１２ｄの周囲の適所に接着剤で固定するような型式のものでよい。
【００１０】
第１室１２ａには、虫取り袋１４が収容されており、虫取り袋１４は、開口１２ｄの方へ開放している。また、第１室１２ａの開口１２ｄには、虫吸入管１６が取付けられている。虫吸入管１６の先端には、虫の吸入を容易にするため、拡径部１６ａが設けられている。なお、虫吸入管１６と本体１２の内部とは、虫取り袋１４の取付け部周辺の隙間１２ａ１（図３参照）を介して連通している。
【００１１】
好ましくは、虫取り袋１４の内部には、殺虫剤が充填されている。また、好ましくは、虫取り袋１４は、新しい袋に容易に交換できるように形成されている。
【００１２】
第２室１２ｂには、シリンダ１８が収容されており、シリンダ１８は、ばね２０のばね力によって第２室１２ｂの隔壁１２ｃが設けられている側と反対側の端部１２ｂ２に押し付けられている（第２図参照）。
【００１３】
シリンダ１８は、使用直前までばね２０のばね力に抗して本体１２の隔壁１２ｃの側に押し付けられている（図１参照）。すなわち、シリンダ１８は、凹部１８ａに引金２２の突起２２ａを係止させることにより、ばね２０のばね力に抗して本体１２の隔壁１２ｃの側に押し付けられた状態を保持されている。なお、引金２２は、ピン２２ｂを中心として回転するように構成されており、虫取り器１０の使用時に引金２２を引いて凹部１８ａと突起２２ａとの係止を解除することにより、シリンダ１８が右方に移動して本体１２の端部１２ｂ２に押し付けられるようになっている（図２参照）。
【００１４】
シリンダ１８の上部には、シリンダ１８を本体１２の隔壁１２ｃの側に押し付ける際に使用される引き戻し部１８ｂが設けられており、引き戻し部１８ｂは、本体１２の第２室１２ｂの上側に設けられた開口１２ｂ１を介して外部に露出している。なお、シリンダ１８の端部には、シリンダ１８が本体１２の端部１２ｂ２に当たる際の衝撃を緩和するため、ゴム製のクッション部１８ｃを設けるのが好ましい。虫取り器１０は又、使用者が把持するためのグリップ２４を備えている。
【００１５】
次に図４を参照して、以上のように構成された虫取り器１０の作動について説明する。まず最初に、虫取り器１０の虫吸入管１６の拡径部１６ａを、捕獲しようとする虫に近ずけて、引金２２を引く（図４（ａ）参照）。すると、凹部１８ａと突起２２ａとの係止が解除されることにより、シリンダ１８が（図４において）右方に移動するが、この際、虫吸入管１６、隙間１２ａ１、第１室１２ａ、開口１２ｃ１を介して第２室１２ｂ内に空気が吸引され（空気の吸引に伴い、逆止弁１２ｄ１が開放する）、その結果、虫も虫吸入管１６内に吸引され（図４（ｂ）参照）、ついには虫が虫取り袋１４内に捕集されることとなる（図４（ｃ）参照）。使用後は、引き戻し部１８ｂをもってシリンダ１８を左方に移動させ（これに伴い、逆止弁１２ｄ１が閉鎖する）、凹部１８ａと突起２２ａを再び係止させることにより、虫取り器１０をいつでも使用することができる状態にすることができる（図４（ｄ）参照）。虫取り袋１４が虫で一杯になったら、新しい虫取り袋１４に交換する。
【００１６】
なお、虫吸入管１６は、図５（ａ）に示されるように、伸縮式のものを使用してもよく、或いは、図５（ｂ）に示されるような通常の型式のものを使用してもよい。
【００１７】
図６は、虫取り器１０の変形形態を示した図である。図６に示される虫取り器３０は、ばね２０に付勢されたシリンダ１８を使用せずに、プロペラ羽根３８ａを回転駆動させることにより空気を吸引するように構成されている点を除いて、虫取り器１０と実質的に同一の構成を有している。なお、図６において、参照符号３２、３２ａ、３２ｂ、３２ｃ、３２ｃ１、３２ｄ、３２ｄ１、３４、３６、３６ａは、本体、第１室、第２室、開口付き隔壁、隔壁の開口、本体の開口、逆止弁、虫取り袋、虫吸入管、拡径部をそれぞれ示している。また、参照符号３８は、空気を吸引するためのプロペラ手段を示しており、３８ａ、３８ｂ、３８ｃ、３８ｄは、回転するプロペラ羽根、プロペラ羽根を回転させるモータ、モータのスイッチ、電源をそれぞれ示している。さらに、参照符号４２、４４は、引金、グリップをそれぞれ示している。虫取り器３０の作動に際しては、引金４２を引き突起４２ａをスイッチ３８ｃに接触させてモータ３８ｂを駆動させ、これによりプロペラ羽根３８ａを回転させて本体３２内に空気および虫を吸引する（図６（ｂ）参照）。
【００１８】
本発明は、以上の発明の実施の形態に限定されることなく、特許請求の範囲に記載された発明の範囲内で、種々の変更が可能であり、それらも本発明の範囲内に包含されるものであることはいうまでもない。
【００１９】
たとえば、前記実施の形態では、虫取り器１０、３０はピストル形状を有するものとして示されているが、このような形状に限定されるものではない。また、虫取り袋１４、３４、虫吸入管１６、３６、引金２２、４２、グリップ２４、４４等の形状も単なる例示的なものにすぎず、図示された形状以外のものに形成してもよい。
【図面の簡単な説明】
【００２０】
【図１】本発明の好ましい実施の形態に係る虫取り器の断面図である。
【図２】図１の虫取り器において引金が引かれた状態を示した断面図である。
【図３】図１の部分３の拡大図である。
【図４】図１の虫取り器の作動を説明するための一連の図である。
【図５】虫吸入管の２つの形態を示した図面である。
【図６】虫取り器の変形形態を示した図である。
【符号の説明】
【００２１】
１０、３０  虫取り器
１２、３２  本体
１４、３４  虫取り袋
１６、３６  虫吸入管
１８  シリンダ
２０  ばね
２２、４２  引金
２４、４４  グリップ
３８  プロペラ手段
【図１】
2010124805.tif 000003
【図２】
2010124805.tif 000004
【図３】
2010124805.tif 000005
【図４】
2010124805.tif 000006
【図５】
2010124805.tif 000007
【図６】
2010124805.tif 000008